(57)【要約】      （修正有）【課題】照明裝置を使用する時に多様な変化性及び便利性を有し、多数個のＯＬＥＤ電気製品インターフェイス構造を自在に連結導通して照明裝置の照度分布を自在に調整し、使用方向の制限を受けない無方向性ＯＬＥＤ電気製品インターフェイス構造を提供する。【解決手段】ＯＬＥＤ電気製品インターフェイス構造１は、基板１０、有機発光ダイオード層２０、第一パッケージカバー３０を含む。基板は更にドライブモジュール１１と、該ドライブモジュールと連結する少なくとも一導電片１２と、該ドライブモジュールと電気連結する複数個のコネクタ１３を含む。また有機発光ダイオード層は、該基板一面に設置し、該導電片と電気連結する。更に第一パッケージカバーは、該有機発光ダイオード層の該基板に対応する面と別一面に被さる。それらは複数個の該コネクタによって多数個のＯＬＥＤ電気製品インターフェイス構造を相互に連通して片形態構造に形成し、電力装置５０で該コネクタと電気連結する。【選択図】図２
0003220031.tif 000002
【実用新案登録請求の範囲】
【請求項１】
無方向性ＯＬＥＤ電気製品インターフェイス構造において、該ＯＬＥＤ電気製品インターフェイス構造は、
更にドライブモジュール、該ドライブモジュールと連結する少なくとも一導電片、及び該ドライブモジュールと電気連結する複数個のコネクタを含む基板と、
該基板の一面に設置し、該導電片と電気連結する有機発光ダイオードと、
該有機発光ダイオード層の該基板に対応する面と別一面に被せる第一パッケージカバーを含むことを特徴とする無方向性ＯＬＥＤ電気製品インターフェイス構造。
【考案の詳細な説明】
【技術分野】
【０００１】
本考案は、照明器具に関するもので、特に自在に連結する無方向性ＯＬＥＤ(Organic Light-Emitting Diode)電気製品インターフェイス構造に係る。
【背景技術】
【０００２】
通常の照明には、例として蛍光灯を例にすると、在６０Hzの交流電下毎秒１２０回点滅するため、人の目の瞳孔の筋肉は光源輝度の変化に適応するため、瞳孔の大きさを集中して収縮させたり、緩めたりすることで、視覚において明暗に不適を感じないようにしている。しかしながら、眼球筋肉は長時間の疲労によって、近視になりやすい。これは台湾に於いて、近視の人が多い重要な要素と言える。更にＬＥＤを例に取ると、ＬＥＤは照明において、高熱の問題があり、夏の室内の温度が高くなりやすく、空調に更に負荷がかかる。他に、紫外線によって蛍光粉を励起して発光したＬＥＤから仮に紫外線漏れが発生した場合、人体の皮膚に照射されると癌の危険に晒される。
【０００３】
次世代の照明として、有機発光ダイオード(ＯＬＥＤ: Organic Light Emitting Diode；以下ＯＬＥＤと示す)は照明産業の新鋭軍であり、更に省エネ、環境保護、人体保護等の長所を備える。ＯＬＥＤは照明光源上に使用した時、蛍光灯点滅の問題がなく、またＬＥＤ高熱及び紫外線漏れの問題もなく、更にＯＬＥＤは面光源であるため、非常に理想的な照明光源と言える。またＯＬＥＤを照明に用いた時、通常小面積のＯＬＥＤ照明モジュールをメインとする。
【考案の概要】
【考案が解決しようとする課題】
【０００４】
解決しようとする問題点として、仮に大面積で使用する場合、小面積のＯＬＥＤのように高輝度及び大照度の使用を提供することはできない。仮に使用するのならば、大量の小面積ＯＬＥＤモジュールと電力装置を連結する必要がある。このような仕様は連結が不便なだけでなく、使用においても相当に困難を伴う。また仮に直接大面積的ＯＬＥＤモジュールを採用すると、その製造コストは高く、且つ仮に中間の局部が壊れた時には照明全体に影響を与えるため、交換は全体交換となる。つまり使用コストが高すぎ、補修が行いにくい点である。
【課題を解決するための手段】
【０００５】
本考案は、基板、有機発光ダイオード層、第一パッケージカバーを含む。そのうち、基板は更にドライブモジュールと、該ドライブモジュールと連結する少なくとも一導電片と、該ドライブモジュールと電気連結する複数個のコネクタを含む。また有機発光ダイオード層は、該基板一面に設置し、該導電片と電気連結する。更に第一パッケージカバーは、該有機発光ダイオード層の該基板に対応する面と別一面に被さる。それらは複数個の該コネクタによって多数個のＯＬＥＤ電気製品インターフェイス構造を相互に連通して片形態構造に形成し、電力装置で該コネクタと電気連結し、すべてのＯＬＥＤ電気製品インターフェイス構造を導通し光線を発することを最も主要な特徴とする。
【考案の効果】
【０００６】
本考案の無方向性ＯＬＥＤ電気製品インターフェイス構造は、照明裝置を使用する時に多様な変化性及び便利性を有し、多数個のＯＬＥＤ電気製品インターフェイス構造を自在に連結導通して照明裝置の照度分布を自在に調整し、使用方向の制限を受けないという利点がある。
【図面の簡単な説明】
【０００７】
【図１】本考案の無方向性ＯＬＥＤ電気製品インターフェイス構造第一実施例の立体外観図である。
【図２】本考案の無方向性ＯＬＥＤ電気製品インターフェイス構造第二実施の連結分解図である。
【図３】本考案の無方向性ＯＬＥＤ電気製品インターフェイス構造第三実施の連結立体図である。
【図４】本考案の無方向性ＯＬＥＤ電気製品インターフェイス構造第四実施例の立体連結立体図である。
【図５】本考案の無方向性ＯＬＥＤ電気製品インターフェイス構造第五実施例の立体外観図である。
【図６】本考案の無方向性ＯＬＥＤ電気製品インターフェイス構造第五実施例の連接指示図である。
【図７】本考案の無方向性ＯＬＥＤ電気製品インターフェイス構造第六実施例の外観図である。
【図８】本考案の無方向性ＯＬＥＤ電気製品インターフェイス構造第七実施例の外観図である。
【考案を実施するための形態】
【０００８】
自在に組立拡張し、大面積の無方向性照明效果のＯＬＥＤ電気製品インターフェイス構造を形成し、照明裝置を使用する時、多様変化性及び便利性を備え、多数個のＯＬＥＤ電気製品インターフェイス構造を自在に連結導通し、照明裝置の照度分布を自在に調整し、ＯＬＥＤ電気製品インターフェイス構造を使用方向の制限なく達成する無方向性ＯＬＥＤ電気製品インターフェイス構造を提供することを本考案の主な目的とする。
【０００９】
故障した時、ただ一部の部品を交換するだけでよいため、製造及び補修コストを下げるＯＬＥＤ電気製品インターフェイス構造を本考案の次の目的とする。
【００１０】
電力装置とコネクタが電気連結することで、コネクタを通じ入力と多出力の導通を達成する。すべてのＯＬＥＤ電気製品インターフェイス構造が導通して光線を発することで、制限を受けない自在な組立と拡張を達成するＯＬＥＤ電気製品インターフェイス構造を本考案の更に別の目的とする。
【００１１】
本考案は、無方向性ＯＬＥＤ電気製品インターフェイス構造である。該ＯＬＥＤ電気製品インターフェイス構造は、基板、有機発光ダイオード、第一パッケージカバーを含む。そのうち、該基板は、ドライブモジュール、該ドライブモジュールと連接する少なくとも一導電片及び該ドライブモジュールと電気連結する複数個のコネクタを含む。また該有機発光ダイオード層は、該基板一面に設置し、該導電片と電気連結する。また該第一パッケージカバーは該有機発光ダイオード層の該基板に対応する面と別一面に被さる。
【００１２】
次に本考案は、無方向性ＯＬＥＤ電気製品インターフェイス構造を提供する。該ＯＬＥＤ電気製品インターフェイス構造は基板、有機発光ダイオード、第一パッケージカバー、連結器を含む。そのうち、該基板は、ドライブモジュール、該ドライブモジュールと連接する少なくとも一導電片及び該ドライブモジュールと電気連結する複数個のコネクタを含む。また、該有機発光ダイオード層は、該基板の下に設置し、該導電片と電気連結する。また、該第一パッケージカバーは、該有機発光ダイオード層の該基板に対応する面と別一面に被さる。また少なくとも一該連結器は、該ＯＬＥＤ電気製品インターフェイス構造上の該コネクタと電気連結し、各該ＯＬＥＤ電気製品インターフェイス構造の間で導通する。
【００１３】
比較的良好なものとして、更に電力装置を含む。該電力装置は電力端子によってと任意の一該コネクタと連結し、該基板と該有機発光ダイオード層へ電力を供給する。
【００１４】
比較的良好なものとして、複数の該コネクタは該基板の側辺に設置する。
【００１５】
比較的良好なものとして、複数の該コネクタは該基板の側辺に対称もしくは非対称で配列設置する。
【００１６】
比較的良好なものとして、複数の該コネクタは該基板の交角に設置する。
【００１７】
比較的良好なものとして、複数の該コネクタは該基板の交角に対称もしくは非対称に配列設置する。
【００１８】
比較的良好なものとして、該ＯＬＥＤ電気製品インターフェイス構造は、更に第二パッケージカバーを含み、該第二パッケージカバーは該基板の該第一パッケージカバーに相対する面と別一面に設置し、該基板上方に被さる。
【００１９】
比較的良好なものとして、該連結器はフレキシブル基板である。
【００２０】
本考案の無方向性ＯＬＥＤ電気製品インターフェイス構造において、それは多数個のＯＬＥＤ電気製品インターフェイス構造で相互に連接導通することで、小さいＯＬＥＤ電気製品インターフェイス構造の連接でも、大きく、輝度及び照度が十分のＯＬＥＤ照明となり、製造コストを下げることができる他に、交換時には壊れたＯＬＥＤ電気製品インターフェイス構造を交換するだけでよく、補修コストが下がる。その他、組立方式について、該ＯＬＥＤ電気製品インターフェイス構造を異なるエリア及び形状に対して設置することで、便利に使用でき、且つ用途が広がる。
【００２１】
本考案の無方向性ＯＬＥＤ電気製品インターフェイス構造は、照明裝置のジョイントとパッケージに効果があり、照明具全体の照度分布を自在に調整する。該コネクタと連結器で複数個ＯＬＥＤ電気製品インターフェイス構造を配置、ジョイントし、多様な変化を有し、且つアーキテクチャは大型の照明設備もしくは多様造形の照明設備を形成する。変更ができる無方向性ＯＬＥＤ電気製品インターフェイス構造は更に応用照明装置を有する。仮に一個のＯＬＥＤ電気製品インターフェイス構造が壊れても、単独で交換できるのでメンテなテンスコストを節約する。
【実施例１】
【００２２】
図１に示すのは、本考案の第一実施例の立体外観図である。そのうち、該ＯＬＥＤ電気製品インターフェイス構造１は、基板１０、有機発光ダイオード層２０及び第一パッケージカバー３０を含む。そのうち、該基板１０は更にドライブモジュール１１、該ドライブモジュール１１と連接する少なくとも一導電片１２及び該ドライブモジュール１１と電気連結する複数個のコネクタ１３を含む。そのうち、該有機発光ダイオード層２０は該基板１０一面に設置し、該導電片１２と電気連結する。これらによって、該有機発光ダイオード層２０と該基板１０を該導電片１２によって導通させることができ、該ドライブモジュール１１を該導電片１２によって導通して該有機発光ダイオード層２０を動かし、発光して照明を達成する。そのうち、該第一パッケージカバー３０は該有機発光ダイオード層２０の該基板１０に対応する面と別一面に被さることで、該第一パッケージカバー３０は該有機発光ダイオード層２０に対して保護作用を形成する。そのうち複数個の該コネクタ１３は該ドライブモジュール１１と電気連結し、該複数のコネクタ１３は該基板１０の側辺１０１で且つそのうちの中央位置に近い箇所に設置する。これらによって該ＯＬＥＤ電気製品インターフェイス構造１全体を分布、配列させる。
【００２３】
その他、本考案の一実施例において、そのうち該ＯＬＥＤ電気製品インターフェイス構造１は更に第二パッケージカバー６０を含む。該第二パッケージカバー６０は該基板１０の該第一パッケージカバー３０に相対する面と別一面に設置し、更に該基板１０上に被せる。また該コネクタ１３は該第二パッケージカバー６０の外側に露出する。本考案の別一実施方式は、該第二パッケージカバー６０と該第一パッケージカバー３０が相互に結合して一体となり、基板１０をその中に被覆する。それらによって外からの衝撃を下げ、異物の侵入を防ぐ。
【実施例２】
【００２４】
使用時、図２に示すのは本考案の第二実施例であり、二個のＯＬＥＤ電気製品インターフェイス構造１の間に連結器４０を設置する。該連結器４０の両端はそれぞれＯＬＥＤ電気製品インターフェイス構造１と相互に連結し、該二個のＯＬＥＤ電気製品インターフェイス構造を電気連結する。そのうち該コネクタ１３と電力装置５０の電力端子５１を連接するだけで、すべてのＯＬＥＤ電気製品インターフェイス構造１はすべて導通する。該基板１０のドライブモジュール１１を通じ、即ちすべての有機発光ダイオード層２０が駆動して発光するため、便利に使用でき、且つ実際に必要な大きさに基づき連結設置する。更に一個の該連結器４０だけで二個の該ＯＬＥＤ電気製品インターフェイス構造１を電気連結する。
【００２５】
更に該基板１０と該有機発光ダイオード層２０はどちらも四方片体であり、該基板１０は四個の側辺１０１を有し、且つ二個の隣接する側辺１０１には交角１０２を有して相互に交差する。そのうち、本考案の一実施例において、複数の該コネクタ１３は該基板１０の側辺１０１に設置し、更に複数の該コネクタ１３は該基板１０の側辺１０１に対称もしくは非対称で配列設置する。本考案の別の実施例において、複数の該コネクタ１３は該基板１０の交角１０２に設置し、更に複数の該コネクタ１３は該基板１０の交角１０２に対称もしくは非対称に配列設置する。
【実施例３】
【００２６】
図３に示すのは、本考案の第三実施例であり、それは三個のＯＬＥＤ電気製品インターフェイス構造１を相互に連結する。そのうち二個の該ＯＬＥＤ電気製品インターフェイス構造１ごとに、一個の該連結器４０で電気連結する。更に少なくとも該ＯＬＥＤ電気製品インターフェイス構造１によって該少なくとも該連結器４０と電気連結し、各異なる位置のＯＬＥＤ電気製品インターフェイス構造１が示す光線を集めて照明裝置となり、光源照明裝置の多様変化を達成する。
【実施例４】
【００２７】
他に、本考案の第四実施例は図４に示すとおりで、該連結器４０はフレキシブル基板から構成され、自在な角度に折り曲がり、拠って角度の変化によってＯＬＥＤ電気製品インターフェイス構造１を多角度の立体光源照明裝置にする。
【実施例５】
【００２８】
他に、図５及び図６に示すのは、本考案の第五実施例であり、該コネクタ１３は該基板１０の交角１０２位置に設置し、該複数のＯＬＥＤ電気製品インターフェイス構造１を組み立てる時、交角１０２で交差する方式で相互に連結する。更に少なくとも該ＯＬＥＤ電気製品インターフェイス構造１電性と該少なくとも該連結器４０が電気連結することに拠って、該複数の該ＯＬＥＤ電気製品インターフェイス構造１が連接時に比較的長く(対角が長い)相互に連接し、最少ＯＬＥＤ電気製品インターフェイス構造１だけで最大の光源照明裝置を達成する。
【実施例６】
【００２９】
図７に示すのは、本考案の第六実施例であり、該該ＯＬＥＤ電気製品インターフェイス構造１のコネクタ１３を側辺１０１の中央位置から遠い箇所に設置する。該複数のＯＬＥＤ電気製品インターフェイス構造１を組み立てる時、交錯した配列方式に拠って、使用上大きな変化を形成し、ＯＬＥＤ電気製品インターフェイス構造１のサイズ制限を受けず、必要に応じて連結した光源照明裝置となる。
【実施例７】
【００３０】
図８に示すのは、本考案の第七実施例であり、該ＯＬＥＤ電気製品インターフェイス構造１は同一側辺１０１に二個の該コネクタ１３を設置する。該複数のコネクタ１３は等間隔設置するか、交錯連結するか、もしくは異なる連接方式にすることで変化の幅が広がる。
【００３１】
本考案の該ＯＬＥＤ電気製品インターフェイス構造１は、使用時、相互に連結して導通する。相互に連結することで照明面積を増やし、可用性を高め、壊れた時には壊れたＯＬＥＤ電気製品インターフェイス構造を取り外して交換するだけでよく、補修コストが下がり、更に単一の電力装置を連結するだけで、すべてのＯＬＥＤ電気製品インターフェイス構造を導通し、使用上非常に簡単で便利である。
【００３２】
本考案のＯＬＥＤ電気製品インターフェイス構造は、照明設備のジョイントとパッケージが便利であり、照明燈具の照度分布を自在に調整する。それは、該コネクタ１３と連結器４０によって複数個ＯＬＥＤ電気製品インターフェイス構造１を配置してジョイントできるので、更に変化に多様性を備え、且つ大型の照明設備もしくは多様造形の照明設備を構成する。交換ができる無方向性ＯＬＥＤ電気製品インターフェイス構造は、応用照明設備を備え、仮にそのうち一個ＯＬＥＤ電気製品インターフェイス構造が壊れた時でも単独で交換すれば良い良いので修理コストを下げられる。
【符号の説明】
【００３３】
１      ＯＬＥＤ電気製品インターフェイス構造
１０        基板
１０１        側辺
１０２        交角
１１        ドライブモジュール
１２        導電片
１３        コネクタ
２０        有機発光ダイオード層
３０        第一パッケージカバー 
４０        連結器
５０        電力装置
５１        電力端子
６０        第二パッケージカバー 
【図１】
0003220031.tif 000003
【図２】
0003220031.tif 000004
【図３】
0003220031.tif 000005
【図４】
0003220031.tif 000006
【図５】
0003220031.tif 000007
【図６】
0003220031.tif 000008
【図７】
0003220031.tif 000009
【図８】
0003220031.tif 000010